(57)【要約】【課題】  無線機が正常に動作していることは確認できるが、無線高周波部の部品の経年劣化等による送信変調精度や受信感度の劣化等を診断することはできないという問題点について、無線高周波部の部品の経年劣化等による性能劣化の診断を可能とした、使い勝手の良いデジタル無線機及びその動作チェック方法を提供することを目的とする。【解決手段】  音声入出力手段とデジタル変復調手段と自身の送信電波の漏洩電波を利用して自身の動作が正常であるか否かを自己診断手段を有するデジタル無線機であって、自己診断を行う場合に送信テストデータを発生するテストデータ発生手段と、該送信テストデータに基づくデータを受信して自己診断を行うビット誤り率測定手段と、該ビット誤り率測定手段の測定結果を表示する表示手段とを有することを特徴とする。【選択図】  図１
2005159847.tif 000002
【特許請求の範囲】
【請求項１】
音声入出力手段とデジタル変復調手段と自身の送信電波の漏洩電波を利用して自身の動作が正常であるか否かを自己診断手段を有するデジタル無線機であって、
自己診断を行う場合に送信テストデータを発生するテストデータ発生手段と、
該送信テストデータに基づくデータを受信して自己診断を行うビット誤り率測定手段と、
該ビット誤り率測定手段の測定結果を表示する表示手段とを有することを特徴とするデジタル無線機。
【請求項２】
前記送信テストデータの送信により当該デジタル無線機の送信漏洩電波の受信電界強度を調整する手段を持つことを特徴とする前記請求項１記載のデジタル無線機。
【請求項３】
前記自己診断手段により不具合があることを検出する不具合検出手段と、
該不具合検出手段の検出結果に応じて不具合部分の推定を行う手段とを有することを特徴とする請求項１または請求項２に記載のデジタル無線機。
【請求項４】
送受信アンテナと、送信データを変調するデータ変調手段と、受信データを復調するデータ復調手段と、送信データまたは受信データをコーデックするコーデック手段と、各種データを表示する表示部と、を有するデジタル無線機において、
通常の送受信時の場合は、前記データ変調手段とデータ復調手段は各々前記コーデック手段と接続され、
送受信テストを行う場合は、前記データ変調手段にはテストデータ発生部、且つ、前記データ復調手段にはビット誤り率測定部が、スイッチ手段の切り換えに応じて接続されることを特徴とするデジタル無線機の動作チェック方法。
【請求項５】
前記送受信テストを実行した場合、前記ビット誤り率測定部の出力が当該送受信テスト結果として前記表示部に表示されることを特徴とする前記請求項４記載のデジタル無線機の動作チェック方法。
【発明の詳細な説明】
【技術分野】
【０００１】
本発明は、デジタル無線機及びその動作チェック方法に関するものであり、特に、通信を行う相手無線機や試験装置を用いることなく、試験対象の無線機が単独で自分自身が正常に動作しているか否かを診断するテスト機能を有するデジタル無線機及びその動作チェック方法に関するものである。
【背景技術】
【０００２】
従来の自己診断機能を有する無線機の一実施例を以下に説明する。
図３は、従来の自己診断機能を有する無線機のブロック図を示す。
同図において１はアンテナ、２は送受切り換えスイッチ、５は送信高周波部、６は変調部、７は送信フレーム処理部、１０は音声コーデック部、１１は送信音声処理部、１１は送信音声処理部、１２はマイク、１３は受信高周波部、１４は復調部、１５は受信フレーム処理部、１８は受信音声処理部、１９はスピーカーである。
【０００３】
通常、送信時はマイク１２より入力された音声は、送信音声処理部１１にてレベル調整され、音声コーデック１０にてA／D変換される。音声コーデック１０より出力されたデジタルのデータは、送信フレーム処理部７にてフレームフォーマットにしたがってエンコードされ、変調部４にて変調処理される。
変調部４にて変調処理された信号は、送信高周波部３にて送信波となり送受切り換えスイッチ２を介してアンテナ１より送信される。
受信時は、アンテナ１にて受信された信号は送受アンテナスイッチ２を介して受信高周波部１３を通り、復調部１４にて受信データに復調される。
受信データは受信フレーム処理部１５にてデコード処理され、音声コーデック１０にてＤ／Ａ変換、受信音声処理部１８にてレベル調整されてスピーカー１９より復調された音声が出力される。
ここで、送受切り換えスイッチ２は送信高周波部５に、受信時は受信高周波部１３に接続する。
一方、自己診断テストの時は、まず送信部と受信部の動作を同時に行うように制御し、送受切り換えスイッチ２は常時送信高周波部３に接続させる。
また送信周波数と受信周波数は等しくなるようにしておく。
【０００４】
自己診断テスト時において、マイク１２に周辺雑音が入力されると、通常送信時と同様に送信音声処理部１１、音声コーデック１０、送信フレーム処理部７、変調部６、送信高周波部５、送受切り換えスイッチ２を介してアンテナ１より送信される。
この際、送受切り換えスイッチ２より漏洩した送信波は受信高周波部１３に入力され、通常受信時と同様に復調処理部１４、受信フレーム処理部１５、音声コーデック１０、受信音声処理部１８を介してスピーカー１９より周辺雑音の復調信号として出力される。
ここで、この時スピーカー１９より出力された周辺雑音は、再び、マイク１２も入力され、上記過程を繰り返す。
これにより、ハウリングが生じ、スピーカー１９よりビート音が出力される。
このビート音を操作者が耳で確認することにより、無線機が正常に動作しているか否か判断することができる。
【０００５】
従来の自己診断機能を有する無線機に関する技術としては、例えば特許文献１がある。
【０００６】
【特許文献１】特開平０９−１３５１９０号公報
【発明の開示】
【発明が解決しようとする課題】
【０００７】
上記した従来の自己診断機能を有する無線機では、無線機が正常に動作していることは確認できるが、無線高周波部の部品の経年劣化等による送信変調精度や受信感度の劣化等を診断することはできないという問題点があった。
【０００８】
本発明は上記従来技術に鑑みて為されたもので本発明の目的は、無線高周波部の部品の経年劣化等による性能劣化の診断を可能とした、使い勝手の良いデジタル無線機及びその動作チェック方法を提供することにある。
【課題を解決するための手段】
【０００９】
上記従来の問題点を解決するための本発明は、音声入出力手段とデジタル変復調手段と自身の送信電波の漏洩電波を利用して自身の動作が正常であるか否かを自己診断手段を有するデジタル無線機であって、自己診断を行う場合に送信テストデータを発生するテストデータ発生手段と、該送信テストデータに基づくデータを受信して自己診断を行うビット誤り率測定手段と、該ビット誤り率測定手段の測定結果を表示する表示手段とを有することを特徴とする。
【００１０】
またさらに、上記従来の問題点を解決するため本発明は、前記送信テストデータの送信により当該デジタル無線機の送信漏洩電波の受信電界強度を調整する手段を持つことを特徴とする。
【００１１】
またさらに、上記従来の問題点を解決するため本発明は、前記自己診断手段により不具合があることを検出する不具合検出手段と、該不具合検出手段の検出結果に応じて不具合部分の推定を行う手段とを有することを特徴とする。
【００１２】
また、上記従来の問題点を解決するため本発明は、送受信アンテナと、送信データを変調するデータ変調手段と、受信データを復調するデータ復調手段と、送信データまたは受信データをコーデックするコーデック手段と、各種データを表示する表示部と、を有するデジタル無線機において、通常の送受信時の場合は、前記データ変調手段とデータ復調手段は各々前記コーデック手段と接続され、送受信テストを行う場合は、前記データ変調手段にはテストデータ発生部、且つ、前記データ復調手段にはビット誤り率測定部が、スイッチ手段の切り換えに応じて接続されることを特徴とする。
【００１３】
またさらに、上記従来の問題点を解決するため本発明は、前記送受信テストを実行した場合、前記ビット誤り率測定部の出力が当該送受信テスト結果として前記表示部に表示されることを特徴とする。
【発明の効果】
【００１４】
本発明によると、送信波の漏洩電波を利用したデジタル無線機において、テストデータ発生手段とビット誤り率測定手段と受信される漏洩伝搬の受信強度を任意値に調整する手段により自己診断時におけるビット誤り率を測定し、事前に測定したビット誤り率と比較することにより、無線高周波部の性能劣化を確認可能となる。
さらに、本発明におけるテストデータ発生手段、ビット誤り率測定手段、受信される漏洩伝搬の受信強度を任意値に調整する手段はデジタル信号処理により実現可能であり、ソフトウェアにより容易に実現できる。
【発明を実施するための最良の形態】
【００１５】
本発明の実施の形態について図面を参照しながら説明する。
図１は、本発明の実施の形態であるデジタル無線機のブロック図を示す実施例である。
同図において、１はアンテナ、２は送受切り換えスイッチ、３は可変アッテネータ、４はアッテネータ制御量記憶部、５は送信高周波部、６は変調部、７は送信フレーム処理部、８および９はスイッチ、１０は音声コーデック部、１１は送信音声処理部、１２はマイク、１３は受信高周波部、１４は復調部、１５は受信フレーム処理部、１７はビット誤り率測定部、１８は受信音声処理部、１９はスピーカー、２０は表示部、２１は受信電界強度検出部である。
【００１６】
通常時は、可変アッテネータ３は減衰なしに設定されており、送信フレーム処理部７はスイッチ８を介して音声コーデック１０に、受信フレーム処理部１５はスイッチ１６を介して音声コーデック１０に接続している。
また、送受切り換えスイッチ２は送信時は可変アッテネータ３に、受信時は受信高周波部１３に接続する。
一方、自己診断テスト時には、可変アッテネータ３はアッテネータ減衰量記憶部に記憶されている減衰量に設定され、送信フレーム処理部７はスイッチ８によりテストデータ発生部９に、受信フレーム処理部はスイッチ１６により誤りビット判定部１７に接続される。
また、この時、送信動作と受信動作は同時に行うように制御され、送受切り換えスイッチ２はアンテナ１と送信出力制御部３が接続されるように制御される。
【００１７】
自己診断テスト時の動作は、ます、テストデータ発生部９にて任意のテスト信号（例えばPN符号等）を発生し、スイッチ８を介して送信フレーム処理部７に出力する。
送信フレーム処理部７は入力されたテスト信号をフレームフォーマットに従ってエンコード処理を行い、エンコードされたデータは変調部６にて変調処理される。
変調部６にて変調された信号は送信高周波部５を通り、送信出力制御部３で任意のレベルに調整され、送受切り換えスイッチ２を介してアンテナ１より送信される。
この時送受切り換えスイッチ２にて漏洩した送信波は受信高周波１３に入力され受信される。受信高周波部１３にて受信された信号は復調部１４にて復調、受信フレーム処理部１５にてデコードされ受信データとなる。
受信フレーム処理部１５より出力された受信データはスイッチ１６を介してビット誤り率測定部１７に入力され、誤り率が計算される。
ビット誤り率測定部１７にて計算されたビット誤り率は表示部２０に表示される。
また、同時に高周波部１３の出力は受信電界強度検出部２１に入力され、この時の受信電界強度が表示部２０に表示される。
【００１８】
ここで、出力制御値記憶部４には、出荷前の初期調整時に上記の自己診断テスト時と同様の動作を行い、表示部２０に表示されるビット誤り率、または受信電界強度が任意の値となる時の送信出力制御部３の制御値を記憶しておく。
つまり、送信高周波部５および受信高周波部１３の無線高周波部に部品の経年劣化等による変調精度や受信感度等の性能劣化がなければ、自己診断テストを行った際に表示部２０に表示されるビット誤り率と受信電界強度は初期調整時の任意値になるはずであり、任意値とならなかった場合には、無線高周波部に性能劣化があることが分かる。
【００１９】
図２は、本発明に係る誤り率特性と受信電界強度の関係を示すグラフである。
まず初期調整時に基準値であるビット誤り率0.01、受信電界強度-119dBmの点２０１となるように送信出力制御部３の制御量を設定しておく。
自己診断テストを行った際は、表示部２０に表示されるビット誤り率と受信電界強度を確認し、それぞれの値が基準と等しい値である0.01、-119dBmであればその無線機は正常である。
一方、それぞれの値が基準値と異なる場合は、送信高周波部５と受信高周波部に何らかの問題があると考えられる。
【００２０】
例えば、自己診断テストの結果が点２０２のように、基準値に比べて受信電界強度が悪かった場合、受信系の受信感度劣化や送信系の送信出力制御等の問題があると判断される。
また、自己診断テストの結果が点２０３のように、受信電界強度は基準値だがビット誤り率が基準値より悪かった場合、送信系の変調精度の劣化等が考えられる。
【００２１】
以上のように、本発明の実施の形態によると、音声入出力手段とデジタル変復調手段と自身の送信電波の漏洩電波を利用して自身の動作が正常であるか否かを自己診断手段を有するデジタル無線機において、テストデータ発生手段とビット誤り率測定手段を有することを自己診断機能付きのデジタル無線機とすることができる。
また、このようなデジタル無線機において、測定したビット誤り率を表示する手段を持つことにより自己診断の結果を容易に確認することができる。
またさらに、無線機自身の送信漏洩電波の受信電界強度を調整する手段を持つことにより、診断結果に応じて調整することができる。
またさらに、自己診断により不具合があることが判明した場合に、自己診断の結果より不具合部分の推定を行う不具合推定手段を設けることで、自己診断結果に応じて無線機自身を自動的に調整することができる。
【００２２】
以上のように、本発明によると、送信波の漏洩電波を利用した自己診断機能付きデジタル無線機において、テストデータ発生手段とビット誤り率測定手段と受信される漏洩伝搬の受信強度を任意値に調整する手段により自己診断時におけるビット誤り率を測定し、事前に測定したビット誤り率と比較することにより、無線高周波部の性能劣化が確認可能となる。
そして、本発明におけるテストデータ発生手段、ビット誤り率測定手段、受信される漏洩伝搬の受信強度を任意値に調整する手段はデジタル信号処理により実現可能であり、ソフトウェアにより容易に実現することができるものである。
【００２３】
したがって本発明は、音声信号の変わりにPN符号等のテストデータを発生するテストデータ発生手段と受信したテストデータの誤りを判定してビット誤り率を測定する手段と送信波の洩れ電波の受信電界強度を任意値に調整する手段から構成され、自身の送信波の洩れ電波を利用して誤り率を測定し、その結果と受信電界強度より無線高周波部の性能の劣化を判断するデジタル無線機及びその動作チェック方法を実現するものである。
【００２４】
以上詳述したように本発明によると、無線機が正常に動作していることは確認できるが、無線高周波部の部品の経年劣化等による送信変調精度や受信感度の劣化等の部分的な診断を行うができないという従来の問題を、PN符号等のテストデータを発生するテストデータ発生手段と受信したテストデータの誤りを判定してビット誤り率を測定する手段と送信波の洩れ電波の受信電界強度を任意値に調整する手段を無線機内部に持ち、自身の送信波の洩れ電波を利用して誤り率を測定して、その結果と受信電界強度より無線高周波部の性能の劣化を判断することにより解決することができる。
【図面の簡単な説明】
【００２５】
【図１】本発明の実施の形態であるデジタル無線機のブロック図を示す実施例である。
【図２】本発明に係る誤り率特性と受信電界強度の関係を示すグラフである。
【図３】従来の自己診断機能を有する無線機のブロック図を示す。
【符号の説明】
【００２６】
１：アンテナ、２：送受切り換えスイッチ、５：送信高周波部、６：変調部、７：送信フレーム処理部、８：送信データ切り換えスイッチ、９：テストデータ発生部、１０：音声コーデック、１１：送信音声処理部、１２：マイク、１３：受信高周波部、１４：復調部、１５：受信フレーム処理部、１６：受信データ切り換えスイッチ、１７：誤りビット判定部、１８：受信音声処理部、１９：スピーカー、２０：表示部、２１：受信電界強度検出部、２０１：初期調整時の基準点、２０２、２０３：自己診断の結果の例。
【図１】
2005159847.tif 000003
【図２】
2005159847.tif 000004
【図３】
2005159847.tif 000005